(57)【特許請求の範囲】
【請求項１】
建物の開口部を開閉する吊り戸を、当該開口部の上縁部に沿設されたガイドレールに吊り下げて保持する吊り下げ装置（１）であって、
前記ガイドレールに走行可能に取り付けられた走行ユニット（１０）と、
前記吊り戸の上端部に固着される固着ユニット（２０）と、を有し、
前記走行ユニット（１０）と前記固着ユニット（２０）のうちの一方は吊り下げ方向に延びる吊り下げ軸（１３）を有し、他方は当該吊り下げ軸（１３）を受け入れて係脱自在に係止する吊り下げ軸係止機構（３０）を有し、
前記吊り下げ軸（１３）は、その先端部にフランジ状の軸頭部（１３Ａ）を有し、
前記吊り下げ軸係止機構（３０）は、
前記吊り下げ軸（１３）を水平方向に出入り可能に受け入れる受入部（３１）と、
前記軸頭部（１３Ａ）と係合して前記吊り戸の荷重を受けるべく前記受入部（３１）の水平方向最奥部に形成された係合部（３２）と、
前記係合部（３２）と係合した前記軸頭部（１３Ａ）に対し前記係合部（３２）とは反対側から係合することにより前記係合部（３２）からの前記軸頭部（１３Ａ）の離脱を阻止するロックレバー（３３）と、
前記ガイドレールからの前記吊り戸の取り外し作業時に前記軸頭部（１３Ａ）に対する前記ロックレバー（３３）の係合を解除した状態に保持するためのロック解除用操作子（３４）と、を有し、
前記ロックレバー（３３）は、
その中間部を支持する回動軸（３５）を中心にして上下方向に回動自在であると共に前記軸頭部（１３Ａ）の離脱を阻止する向きに常時付勢されており、
前記吊り戸を前記走行ユニットに取り付ける際、前記吊り下げ軸（１３）の先端（１３ａ）により押圧されて反付勢方向に回動した後、前記軸頭部（１３Ａ）が前記係合部（３２）に係合した時点で付勢力により復帰して前記軸頭部（１３Ａ）に係合するように構成されている、吊り戸の吊り下げ装置。
【請求項２】
前記ロック解除用操作子（３４）は、
前記軸頭部（１３Ａ）に対する前記ロックレバー（３３）の係合を解除しないロック非解除位置から前記軸頭部（１３Ａ）に対する前記ロックレバー（３３）の係合を解除するロック解除位置に手動で移動させることができ且つ移動後はその位置に保持され、
これが前記ロック解除位置に保持されている状態で、前記吊り戸を前記走行ユニット（１０）に取り付ける際、前記吊り下げ軸（１３）の先端（１３ａ）により前記ロックレバー（３３）が押圧される動作に連動して前記ロック非解除位置に復帰するように構成されている、請求項１記載の吊り戸の吊り下げ装置。
【発明の詳細な説明】
【技術分野】
【０００１】
本発明は、吊り戸をガイドレールに移動可能に吊り下げるための装置に関し、特に、ガイドレールに取り付けられた走行ユニットと吊り戸に固着された固着ユニットとが互いに連結離脱可能な吊り下げ装置に関する。
【背景技術】
【０００２】
吊り戸の吊り下げ装置は、ガイドレールに取り付けられた走行ユニットと戸側に取り付けられる固着ユニットとからなる。走行ユニットと固着ユニットとが連結離脱可能な吊り下げ装置にあっては、前もって走行ユニットをガイドレールにセットしておき、吊り戸の固着ユニットを後から走行ユニットに連結することにより、吊り戸の吊り込みがなされる。
【０００３】
この吊り込み作業の容易化を図ったものとして、走行ユニットの下方に突出した吊り下げ軸（吊り金具）を固着ユニット内に導入して仮保持状態にした後、固着ユニット内の本固定部に吊り下げ軸を相対移動させて本固定できるようにした吊り下げ装置が知られている（特許文献１）。本固定状態においては、吊り下げ軸の先端部に形成されたフランジ状の軸頭部に固着ユニット内の弾性ロック片が係合することにより吊り下げ軸の離脱を阻止する。弾性ロック片には操作部が連結されていて、この操作部を指で押し上げたときに弾性ロック片がばね力に抗してロック解除方向に回動するようになっており、この状態で走行ユニットから吊り戸が取り外される。
【特許文献１】特開２００５−６８８５６号公報
【発明の開示】
【発明が解決しようとする課題】
【０００４】
上述した従来の技術では、ガイドレールから吊り戸を外す場合には、固着ユニットの操作部を指で押し上げながら、吊り戸を持ち上げて、走行ユニットの吊り下げ軸から固着ユニットを外す作業を行う必要があるため、吊り戸の取り外しを一人で行うのは容易ではなかった。
【０００５】
本発明が解決しようとする課題は、吊り戸の取り外しを一人でも簡単に行なうことができる吊り下げ装置を提供することにある。
【課題を解決するための手段】
【０００６】
上記課題を解決するために、本発明の吊り下げ装置は、建物の開口部を開閉する吊り戸を、当該開口部の上縁部に沿設されたガイドレールに吊り下げて保持する吊り下げ装置であって、
前記ガイドレールに走行可能に取り付けられた走行ユニットと、
前記吊り戸の上端部に固着される固着ユニットと、を有し、
前記走行ユニットと前記固着ユニットのうちの一方は吊り下げ方向に延びる吊り下げ軸を有し、他方は当該吊り下げ軸を受け入れて係脱自在に係止する吊り下げ軸係止機構を有し、
前記吊り下げ軸は、その先端部にフランジ状の軸頭部を有し、
前記吊り下げ軸係止機構は、
前記吊り下げ軸を水平方向に出入り可能に受け入れる受入部と、
前記軸頭部と係合して前記吊り戸の荷重を受けるべく前記受入部の水平方向最奥部に形成された係合部と、
前記係合部と係合した前記軸頭部に対し前記係合部とは反対側から係合することにより前記係合部からの前記軸頭部の離脱を阻止するロックレバーと、
前記ガイドレールからの前記吊り戸の取り外し作業時に前記軸頭部に対する前記ロックレバーの係合を解除した状態に保持するためのロック解除用操作子と、を有する。
【０００７】
上記のように構成された本発明の吊り下げ装置によれば、ガイドレールから吊り戸を外す際、ロック解除用操作子を操作することにより、吊り下げ軸の軸頭部に対するロックレバーの係合を解除した状態に保つことができる。これにより、従来固着ユニットの操作部を指で押し上げるために使用していた方の手が解放されるので、両方の手で吊り戸を持ち上げて取り外し作業を行うことができるようになる。
【０００８】
本発明の吊り下げ装置において、
前記ロックレバーは、
その中間部を支持する回動軸を中心にして上下方向に回動自在であると共に前記軸頭部の離脱を阻止する向きに常時付勢されており、
前記吊り戸を前記走行ユニットに取り付ける際、前記吊り下げ軸の先端により押圧されて反付勢方向に回動した後、前記軸頭部が前記係合部に係合した時点で付勢力により復帰して前記軸頭部に係合するように構成されていることが望ましい。
【０００９】
本発明の吊り下げ装置において、
前記ロック解除用操作子は、
前記軸頭部に対する前記ロックレバーの係合を解除しないロック非解除位置から前記軸頭部に対する前記ロックレバーの係合を解除するロック解除位置に手動で移動させることができ且つ移動後はその位置に保持され、
これが前記ロック解除位置に保持されている状態で、前記吊り戸を前記走行ユニットに取り付ける際、前記吊り下げ軸の先端により前記ロックレバーが押圧される動作に連動して前記ロック非解除位置に復帰するように構成されていることが望ましい。
【発明の効果】
【００１０】
本発明の吊り下げ装置によれば、ガイドレールから吊り戸を外す際、ロック解除用操作子を操作することにより、吊り下げ軸の軸頭部に対するロックレバーの係合を解除した状態に保持することができるので、吊り戸の取り外しを一人でも簡単に行なうことができる。
【発明を実施するための最良の形態】
【００１１】
以下、本発明の実施形態について図面を参照して説明する。
【００１２】
図１及び図２は本発明に係る吊り下げ装置の斜視図、図３は正面図、図４は断面図である。図１及び図３は走行ユニットと固着ユニットとが連結している状態を、図２及び図４は非連結状態をそれぞれ示している。
【００１３】
この吊り下げ装置１は、建物の開口部（図示省略）を開閉する吊り戸（図示省略）を、当該開口部の上縁部に沿設されたガイドレール（図示省略）に吊り下げて保持する吊り下げ装置であり、ガイドレールに走行可能に取り付けられた走行ユニット１０と、吊り戸の上端部に固着される固着ユニット２０と、を有する。この吊り下げ装置１は、折戸にも引き戸にも使用することができる。
【００１４】
走行ユニット１０は、ガイドレールに係合する左右２個、前後２個、計４個のローラー１１と、各ローラー１１を回転自在に支持する樹脂製の基台１２と、その一端（この例では上端部）が基台１２に支持されて吊り下げ方向（この例では下方）に延びる金属製の吊り下げ軸１３とを有する。吊り下げ軸１３は、その先端部（この例では下端部）に円形フランジ状に拡径した軸頭部１３Ａを有する。軸頭部１３Ａの先端面１３ａは球面状に滑らかに仕上げられている。なお、基台１２の一端にローラー１１よりも走行方向に突出させて形成されている部位１４は、隣接する他の走行ユニット１０或いはガイドレールの長手方向の端部の壁面のいずれかに当接する部位である。
【００１５】
固着ユニット２０は、樹脂成形品からなり、吊り戸の側面にビスで締着固定される固定部２１と、固定部２１と一体成型された本体２２と、吊り下げ軸係止機構部３０と、を有している。固定部２１には、締着固定用の貫通孔２１ａが複数箇所に設けられている。本体部２２は、固定部２１の背面（取付面）側に突出している。この固着ユニット２０は、本体部２２を吊り戸の板面に形成された取付孔に嵌め込み、固定部２１を吊り戸の板面にビスで締着固定することにより、吊り戸に強固に固着される。
【００１６】
吊り下げ軸係止機構部３０は、吊り下げ軸１３を水平方向に出入り可能に受け入れる受入部３１と、吊り下げ軸１３の軸頭部１３Ａと係合して吊り戸の荷重を受けるべく受入部３１の水平方向最奥部に形成された係合部３２と、係合部３２と係合している軸頭部１３Ａに対し係合部３２とは反対側から係合することにより係合部３２からの軸頭部１３Ａの離脱を阻止するロックレバー３３と、ガイドレールからの吊り戸の取り外し作業時に軸頭部１３Ａに対するロックレバー３３の係合を解除した状態に保持するためのロック解除用操作子３４と、を有する。
【００１７】
受入部３１及び係合部３２は、樹脂成形によって本体部２２内に形成されている。
受入部３１は、固定部２１側にラッパ状に開いた導入部３１ａと、導入部３１の奥側に連設された保持部３１ｂと、を有する。導入部３１ａの開口部の横幅は、軸頭部１３Ａの直径の２倍以上の寸法に選定されている。保持部３１ｂの横幅は、吊り下げ軸１３の直径よりも若干大きく選定されている。保持部３１ｂの最奥面３１ｃは、吊り下げ軸１３の胴部が当接する部位であるため、吊り下げ軸１３の胴部に合わせて円筒状の曲面に形成されている。
係合部３２は、保持部３１ｂの下端部に形成されている。この例では、係合部３２は、保持部３１ｂの下端部を軸頭部１３Ａの外形寸法に合わせて縁取るように拡径して、軸頭部１３Ａの上面部と互いに係合する段部を形成してなる。
【００１８】
ロックレバー３３は、導入部３１ａの直下に設けられている。ロックレバー３３は、その中間部が回動軸３５によって支持されており、この回動軸３５を中心にして前後のアームが上下方向に回動するようになっている。ロックレバー３３は、回動軸３５より係合部３２側に延びる係止アーム部３３ａと、導入部３１ａの開口部側に延びる操作アーム部３３ｂとを有し、係止アーム部３３ａの先端上部が軸頭部１３Ａの下部周縁に下方から当接して係合するようになっている。係止アーム部３３ａの下には、コイルばね３６が設けられており、このコイルばね３６の弾性反発力によって係止アーム部３３ａが上方にすなわち軸頭部１３Ａと係合する向きに常時付勢されている。
【００１９】
ロック解除用操作子３４は、ロックレバー３３の下方に、上下にスライド可能に設けられている。ロック解除用操作子３４は、本体部２２の左右両側壁に形成されたガイド孔３１ｄに沿って上下に案内されるスライド体３４ａと、固着ユニット２０の前面部に位置する操作部３４ｂと、ロックレバー３３の係止アーム部３３ａの下方に位置する復帰用当接部３４ｃと、これをロック非解除位置とロック解除位置とに選択的に切り替えて保持するための一対の保持位置切替え片３４ｄとを一体樹脂成型してなる。操作部３４ｂ及び保持位置切替え片３４ｄは、固着ユニット２０の表面部に導入部３１ａと連通させて形成された凹部２０ａ内に上下移動可能に設けられている。操作部３４ｂは、スライド体３４ａの前端部から上方に突出しており、その先端（上端）がロックレバー３３の操作アーム部３３ｂの先端下部に当接するようになっている。保持位置切替え片３４ｄは、操作部３４ｂの両端から下方に延びている。両保持位置切替え片３４ｄの先端近傍外面部には、係止突起３４ｅが形成されている。固着ユニット２０の凹部２０ａの左右の内壁部には、係止突起３４ｅと係合する第１及び第２の係合凹部２４ａ、２４ｂが上下に離間させてそれぞれ設けられている。
【００２０】
ロック解除用操作子３４は、係止突起３４ｅが第１の係合凹部２４ａに係合しているときにはロック非解除位置に保持され、係止突起３４ｅが第２の係合凹部２４ｂに係合しているときにはロック解除位置に保持されるようになっている。ロック非解除位置に保持されているとき、ロック解除用操作子３４はその上下移動可能範囲における最も低位置にある。このとき操作部３４ｂが操作アーム部３３ｂに当接していない（あるいは単に接触している）状態に保たれる。一方、ロック解除位置に保持されているとき、ロック解除用操作子３４はその上下移動可能範囲における最も高位置にある。このとき操作部３４ｂによって操作アーム部３３ｂが押し上げられた状態に保たれ、その反対側の係止アーム部３３ａが下方に回動した状態、すなわち軸頭部１３Ａに対する係止アーム部３３ａの係合が解かれた状態に保たれる。ロック非解除位置からロック解除位置へのロック解除用操作子３４の移動操作は、操作者が操作部３４ｂを指で上方にスライドさせることによりなされる。
【００２１】
また、ロック解除用操作子３４は、これがロック解除位置にあるときに、ロックレバー３３の係止アーム部３３ａが吊り下げ軸１３に押されて下方に回動すると、係止アーム部３３ａによって復帰用当接部３４ｃが下方に押し下げられることにより、ロック非解除位置に自動的に戻るようになっている。
【００２２】
次に、上記のように構成された吊り下げ装置１の動作について、図５を参照しつつ説明する。図５において、（ａ）は固着ユニット２０が走行ユニット１０に連結されていない状態を示している。（ａ）の状態では、ロック解除用操作子３４は、ロック非解除位置にセットされている。ここでは、この状態を初期状態として吊り下げ装置１の一連の動作を説明する。
【００２３】
ガイドレールに吊り戸を取り付ける際、作業者は、走行ユニット１０の吊り下げ軸１３と固着ユニット２０の受入部３１とを互いに向き合わせた状態、すなわち（ａ）の状態にして、吊り戸の上端部をガイドレール側に移動させる。その結果、吊り下げ軸１３が受入部３１の導入部３１ａを通って保持部３１ｂに入る。そして、吊り下げ軸１３の軸頭部１３Ａの先端１３ａがロックレバー３３の係止アーム部３３ａに当接する。この状態で吊り戸を若干持ち上げるなどして、固着ユニット２０を上昇させると、係止アーム部３３ａが吊り下げ軸１３によって押し下げられるため、ロックレバー３３がコイルばね３６の弾性反発力に抗して反付勢方向（ロックを解除する向き）に回動する。（ｂ）はこのときの状態を示している。吊り下げ軸１３の軸頭部１３Ａは、その先端１３ａで係止アーム部３３ａを押し下げながら保持部３１ｂの最奥面３１ｃに当接し、係合部３２に係合する。ロックレバー３３は、軸頭部１３Ａの先端１３ａの中央部が係止アーム部３３ａの先端を通過した時点から付勢方向（ロックする向き）に回動（復帰）し始め、吊り下げ軸１３の軸頭部１３Ａが固着ユニット２０の係合部３２に係合した時点で、軸頭部１３Ａに係合する。この時点で、係合部３２からの軸頭部１３Ａの離脱がロックレバー３３によって阻止された状態、すなわち走行ユニット１０と固着ユニット２０との連結が完了した状態になる。（ｃ）はこのときの状態を示している。このようにして、吊り戸に取り付けられているすべての固着ユニット２０をガイドレールに取り付けられている走行ユニット１０に連結することにより、ガイドレールへの吊り戸の取り付けが完了する。
【００２４】
ガイドレールから吊り戸を取り外す場合、作業者は、ロック解除用操作子３４をロック解除位置にセットする。ロック解除用操作子３４がロック非解除位置からロック解除位置に移動することにより、ロックレバー３３の操作アーム部３３ｂが押し上げられるため、その反対側の係止アーム部３３ａが下方に回動し、軸頭部１３Ａに対する係止アーム部３３ａの係合が解かれる。そして、ロック解除用操作子３４がロック解除位置にセットされることにより、軸頭部１３Ａに対する係止アーム部３３ａの係合が解かれた状態に保たれる。（ｄ）はこの状態を示している。この状態で、作業者は、吊り戸の上端部を取り付けのときとは反対側に移動させる。その過程で、吊り下げ軸１３が保持部３１ｂから外れ、導入部３１ａを通って固着ユニット２０から離脱する。（ｅ）は吊り下げ軸１３が導入部３１ａを通過中の状態を示している。このようにして、走行ユニット１０と固着ユニット２０との連結を解くことにより、吊り戸の取り外しを行うことができる。
【００２５】
上記のようにして取り外しを行った後の吊り戸の固着ユニット２０は、ロック解除用操作子３４がロック解除位置にセットされたままになっている。
この吊り戸をガイドレールに取り付ける場合、吊り下げ軸１３が受入部３１の導入部３１ａを通って保持部３１ｂに入る過程で、吊り下げ軸１３の軸頭部１３Ａの先端１３ａがロックレバー３３の係止アーム部３３ａに当接する。この状態で吊り戸を若干持ち上げるなどして、固着ユニット２０を上昇させると、係止アーム部３３ａが吊り下げ軸１３によって押し下げられる。その結果、ロック解除用操作子３４は、係止アーム部３３ａによってロック非解除位置に押し下げられ、そして保持位置切替え片３４ｄの係止突起３４ｅが固着ユニット２０の第１の係合凹部２４ａと係合することにより、ロック非解除位置に保持される。（ｆ）はこのときの状態を示している。吊り下げ軸１３の軸頭部１３Ａは、その先端１３ａで係止アーム部３３ａを押し下げながら保持部３１ｂの最奥面３１ｃに当接し、係合部３２に係合する。ロックレバー３３は、軸頭部１３Ａの先端１３ａの中央部が係止アーム部３３ａの先端を通過した時点から付勢方向（ロックする向き）に回動（復帰）し始め、吊り下げ軸１３の軸頭部１３Ａが固着ユニット２０の係合部３２に係合した時点で、軸頭部１３Ａに係合する。この時点で、係合部３２からの軸頭部１３Ａの離脱がロックレバー３３によって阻止された状態、すなわち走行ユニット１０と固着ユニット２０との連結が完了した状態になる。（ｇ）はこのときの状態を示している。これは（ｃ）の状態と同じである。
【００２６】
上記のようにこの実施形態の吊り下げ装置１によれば、ガイドレールから吊り戸を外す際、ロック解除用操作子３４を操作することにより、吊り下げ軸１３の軸頭部１３Ａに対するロックレバー３３の係合を解除した状態に保つことができるので、吊り戸の取り外し作業を容易に行うことができる。
【００２７】
また、吊り戸を取り外した後、ロック解除用操作子３４がロック解除位置にセットされたままの状態で吊り戸の取り付けを再度行った場合でも、その取り付け動作に伴ってロック解除用操作子３４がロック非解除位置に自動的に復帰するので、ロック解除用操作子３４をロック非解除位置に戻す手間がかからない。
【００２８】
なお、上記の例では、走行ユニット１０に吊り下げ軸１３を設け、固着ユニット２０に吊り下げ軸係止機構部３０を設けた場合について説明したが、固着ユニット２０に吊り下げ軸１３を設け、走行ユニット１０に吊り下げ軸係止機構部３０を設けてもよい。
【図面の簡単な説明】
【００２９】
【図１】本発明に係る吊り下げ装置の形態例を示す斜視図
【図２】本発明に係る吊り下げ装置の形態例を示す斜視図
【図３】本発明に係る吊り下げ装置の形態例を示す正面図
【図４】本発明に係る吊り下げ装置の形態例を示す断面図
【図５】上記形態例の一連の動作状態を示す断面図
【符号の説明】
【００３０】
１  吊り下げ装置
１０  走行ユニット
２０  固着ユニット
１３  吊り下げ軸
１３Ａ  軸頭部
３０  吊り下げ軸係止機構部
３１  受入部
３１ａ  導入部
３１ｂ  保持部
３２  係合部
３３  ロックレバー
３３ａ  係止アーム部
３３ｂ  操作アーム部
３４  ロック解除用操作子
３４ｂ  操作部
３４ｃ  復帰用当接部
３４ｄ  保持位置切替え片
【図１】
0005138417.tif 000002
【図２】
0005138417.tif 000003
【図３】
0005138417.tif 000004
【図４】
0005138417.tif 000005
【図５】
0005138417.tif 000006